(57)【要約】【課題】表示品質を向上させながらも、組付け作業性や原価の点で有益なものとする。【解決手段】表示面を使用者側に向けて並べて配置した輝度の異なる複数の表示器１０を表示面側から覆い、かつ、粘着材３０を介して複数の表示器１０が表示面側から貼り付けられる板状のカバー主体２１と、表示器１０側からの入射光の透過率を調整し、使用者側に出射させる透過光の輝度を調整する輝度調整部４１と、を備え、カバー主体２１は、透光性を有し、かつ、複数の表示器１０毎の光の透過領域２２を有し、輝度調整部４１は、カバー主体２１に設け、それぞれの透過領域２２を経た視覚情報として使用者が得るそれぞれの視認光の輝度を合わせるように構成すること。【選択図】図１
2019191283.tif 000002
【特許請求の範囲】
【請求項１】
表示面を使用者側に向けて並べて配置した輝度の異なる複数の表示器を前記表示面側から覆い、かつ、粘着材を介して複数の前記表示器が前記表示面側から貼り付けられる板状のカバー主体と、
前記表示器側からの入射光の透過率を調整し、使用者側に出射させる透過光の輝度を調整する輝度調整部と、
を備え、
前記カバー主体は、透光性を有し、かつ、複数の前記表示器毎の光の透過領域を有し、
前記輝度調整部は、前記カバー主体に設け、それぞれの前記透過領域を経た視覚情報として使用者が得るそれぞれの視認光の輝度を合わせるように構成することを特徴とした表示装置の保護カバー。
【請求項２】
前記輝度調整部は、前記視認光の輝度の目標値に応じて、前記表示器側からの入射光の透過率を調整することを特徴とした請求項１に記載の表示装置の保護カバー。
【請求項３】
前記輝度調整部は、前記透過領域で前記カバー主体の壁面に印刷する印刷体、前記透過領域で前記カバー主体の壁面に貼り付ける貼付体又は前記透過領域で前記カバー主体に埋設する埋設体であることを特徴とした請求項１又は２に記載の表示装置の保護カバー。
【請求項４】
前記カバー主体は、光源からの光を使用者側に出射させて、前記光源の光により照らされた情報を表示する少なくとも１つの情報表示部を有し、
前記光源側からの入射光の透過率を調整し、使用者側に出射させる透過光の輝度を調整する副輝度調整部を前記カバー主体に設け、
前記副輝度調整部は、前記情報表示部を経た視覚情報として使用者が得る視認光の輝度の目標値に応じて、前記光源側からの入射光の透過率を調整することを特徴とした請求項１，２又は３に記載の表示装置の保護カバー。
【請求項５】
前記表示器は、車両の室内で情報表示を行うことを特徴とした請求項１から４の内の何れか１つに記載の表示装置の保護カバー。
【請求項６】
表示面を使用者側に向けて並べて配置した輝度の異なる複数の表示器と、
複数の前記表示器を覆う保護カバーと、
前記表示器を前記保護カバーに貼り付ける粘着材と、
を備え、
前記保護カバーは、
複数の前記表示器を前記表示面側から覆い、かつ、前記粘着材を介して複数の前記表示器が前記表示面側から貼り付けられる板状のカバー主体と、
前記表示器側からの入射光の透過率を調整し、使用者側に出射させる透過光の輝度を調整する輝度調整部と、
を備え、
前記カバー主体は、透光性を有し、かつ、複数の前記表示器毎の光の透過領域を有し、
前記輝度調整部は、前記カバー主体に設け、それぞれの前記透過領域を経た視覚情報として使用者が得るそれぞれの視認光の輝度を合わせるように構成することを特徴とした表示装置。
【発明の詳細な説明】
【技術分野】
【０００１】
本発明は、表示装置の保護カバー及び表示装置に関する。
【背景技術】
【０００２】
従来、輝度の異なる複数の表示器（液晶パネル等）と、これらを使用者側から覆う保護カバーと、を備える表示装置が知られている。この種の表示装置は、例えば、車両用計器として車両に搭載される。例えば、下記の特許文献１には、表示器毎の表示エリアの見栄えを統一して、表示品質を向上させる表示装置が開示されている。この特許文献１の表示装置は、表示器毎に対応させた光の透過率の透光性スペーサ（粘着材等）でそれぞれの表示器を保護カバーに貼り付けて、それぞれの表示器の表示エリアの見栄えを統一させている。
【先行技術文献】
【特許文献】
【０００３】
【特許文献１】特開２０１６−１５６９９９号公報
【発明の概要】
【発明が解決しようとする課題】
【０００４】
ところで、表示器を保護カバーに貼り付ける粘着材は、表示器毎に添加剤等で透過率を変えているが、一瞥しただけで透過率の違いを判別し得ないものも存在する。よって、表示装置は、表示器毎に異なる粘着材を用いた場合、組付け作業性の低下や原価の高騰を招いてしまう可能性がある。また、粘着材は、標準化を図り、異なる仕様の表示装置に適用させるなど、汎用性を持たせることが組付け作業性や原価の点で望ましい。このように、従来の表示装置は、組付け作業性の向上や原価の低減という観点に立つならば改善の余地がある。
【０００５】
そこで、本発明は、表示品質を向上させながらも、組付け作業性や原価の点で有益な表示装置の保護カバー及び表示装置を提供することを、その目的とする。
【課題を解決するための手段】
【０００６】
上記目的を達成する為、本発明に係る表示装置の保護カバーは、表示面を使用者側に向けて並べて配置した輝度の異なる複数の表示器を前記表示面側から覆い、かつ、粘着材を介して複数の前記表示器が前記表示面側から貼り付けられる板状のカバー主体と、前記表示器側からの入射光の透過率を調整し、使用者側に出射させる透過光の輝度を調整する輝度調整部と、を備え、前記カバー主体は、透光性を有し、かつ、複数の前記表示器毎の光の透過領域を有し、前記輝度調整部は、前記カバー主体に設け、それぞれの前記透過領域を経た視覚情報として使用者が得るそれぞれの視認光の輝度を合わせるように構成することを特徴としている。
【０００７】
ここで、前記輝度調整部は、前記視認光の輝度の目標値に応じて、前記表示器側からの入射光の透過率を調整することが望ましい。
【０００８】
また、前記輝度調整部は、前記透過領域で前記カバー主体の壁面に印刷する印刷体、前記透過領域で前記カバー主体の壁面に貼り付ける貼付体又は前記透過領域で前記カバー主体に埋設する埋設体であることが望ましい。
【０００９】
また、前記カバー主体は、光源からの光を使用者側に出射させて、前記光源の光により照らされた情報を表示する少なくとも１つの情報表示部を有し、前記光源側からの入射光の透過率を調整し、使用者側に出射させる透過光の輝度を調整する副輝度調整部を前記カバー主体に設け、前記副輝度調整部は、前記情報表示部を経た視覚情報として使用者が得る視認光の輝度の目標値に応じて、前記光源側からの入射光の透過率を調整することが望ましい。
【００１０】
また、前記表示器は、車両の室内で情報表示を行うことが望ましい。
【００１１】
また、上記目的を達成する為、本発明に係る表示装置は、表示面を使用者側に向けて並べて配置した輝度の異なる複数の表示器と、複数の前記表示器を覆う保護カバーと、前記表示器を前記保護カバーに貼り付ける粘着材と、を備え、前記保護カバーは、複数の前記表示器を前記表示面側から覆い、かつ、前記粘着材を介して複数の前記表示器が前記表示面側から貼り付けられる板状のカバー主体と、前記表示器側からの入射光の透過率を調整し、使用者側に出射させる透過光の輝度を調整する輝度調整部と、を備え、前記カバー主体は、透光性を有し、かつ、複数の前記表示器毎の光の透過領域を有し、前記輝度調整部は、前記カバー主体に設け、それぞれの前記透過領域を経た視覚情報として使用者が得るそれぞれの視認光の輝度を合わせるように構成することを特徴としている。
【発明の効果】
【００１２】
本発明に係る表示装置の保護カバー及び表示装置は、それぞれの透過領域を経た視認光の輝度を同等のものに合わせ込むことができるので、それぞれの透過領域に表示されている表示情報の間のコントラストを低下させることができる。よって、この表示装置の保護カバー及び表示装置は、それぞれの透過領域に表示されている表示情報の間での表示品質を向上させることができる。更に、この表示装置の保護カバー及び表示装置は、それぞれの透過領域を経た視認光の輝度の調整について、カバー主体に設けた輝度調整部に委ねている。よって、この表示装置の保護カバー及び表示装置においては、粘着材の組成を表示器毎に変える必要がないので、標準化された粘着材を用いたり、汎用性を持つ粘着材を用いたりすることができる。従って、この表示装置の保護カバー及び表示装置は、組付け作業性の向上や原価の低減が可能になる。また、保護カバーは、表示装置の仕様毎に形状が異なるので、表示装置の仕様毎の専用品として用意する必要がある。故に、この表示装置の保護カバー及び表示装置は、カバー主体に設けた輝度調整部に視認光の輝度の調整を委ねることによって、その輝度の調整を粘着材に委ねた場合と比較して、原価の低減を図ることができる。このように、本発明に係る表示装置の保護カバー及び表示装置は、表示品質を向上させながらも、組付け作業性や原価の点で有益なものとなっている。
【図面の簡単な説明】
【００１３】
【図１】図１は、実施形態の表示装置の保護カバー及び表示装置を示す正面図である。
【図２】図２は、実施形態の表示装置の保護カバー及び表示装置を示す上面図である。
【図３】図３は、表示装置の保護カバー及び表示装置の具体例を示す正面図である。
【図４】図４は、表示装置の保護カバー及び表示装置の具体例を示す上面図である。
【図５】図５は、表示装置の保護カバー及び表示装置の変形形態の一例を示す上面図である。
【図６】図６は、表示装置の保護カバー及び表示装置の変形形態の一例を示す上面図である。
【発明を実施するための形態】
【００１４】
以下に、本発明に係る表示装置の保護カバー及び表示装置の実施形態を図面に基づいて詳細に説明する。尚、この実施形態によりこの発明が限定されるものではない。
【００１５】
［実施形態］
本発明に係る表示装置の保護カバー及び表示装置の実施形態の１つを図１から図６に基づいて説明する。
【００１６】
図１から図４の符号１は、本実施形態の表示装置を示す。尚、各図の表示装置１は、構成要素の一部を概念的に抜粋したものである。
【００１７】
請求項１，６
表示装置１は、表示面を使用者側に向けて並べて配置した輝度の異なる複数の表示器１０と、その複数の表示器１０を覆う保護カバー２０と、その表示器１０を保護カバー２０に貼り付ける粘着材３０と、を備える（図１から図４）。この例示の表示装置１は、車両の室内に設置して、室内の乗員に情報を提供する。
【００１８】
請求項５
表示器１０とは、表示面の形状が滑らかで、かつ、この表示面から表示情報に関わる光を出射させるもののことである。例えば、この表示器１０としては、液晶パネルや有機ＥＬパネル等を用いる。この例示では、表示面が平滑な表示器１０を用いている。この表示器１０は、表示装置１の制御部（図示略）によって駆動制御され、車両の室内で情報表示を行う。この表示器１０に表示させる情報は、車両の室内で提供するものであれば、如何様なものであってもよい。例えば、この表示器１０は、車両の計器等の走行情報、油水温等の車両情報、走行経路の案内情報などを表示させる。
【００１９】
ここで、複数の表示器１０とは、少なくとも２種類の輝度で大別できるものであればよい。例えば、複数の表示器１０は、それぞれが互いに異なる輝度のものであってもよく、また、少なくとも２種類の輝度で大別できるのであれば、同一の輝度のものが複数混在していてもよい。この例示の表示装置１は、第１表示器１０Ａと、この第１表示器１０Ａよりも低輝度の第２表示器１０Ｂと、を備えている（図１から図４）。
【００２０】
請求項１，６
保護カバー２０は、表示器１０よりも使用者側に配置する。この保護カバー２０は、複数の表示器１０を表示面側から覆う板状のカバー主体２１を備える（図１から図４）。
【００２１】
請求項１，６
そのカバー主体２１は、透光性を有しており、表示器１０から出射された光を使用者側に透過させる。このカバー主体２１は、所定の光の透過率となるように、合成樹脂材料や硝子材料等で平板状に成形されている。例えば、このカバー主体２１は、表示器１０の枠体等を使用者側から視認させ難くする光の透過率に設定されている。
【００２２】
請求項１，６
このカバー主体２１には、粘着材３０を介して複数の表示器１０が表示面側から貼り付けられる（図２及び図４）。その粘着材３０は、透光性を有するものであれば、如何様な光学粘着剤を用いたものであってもよく、その光学粘着剤を如何様な方法で硬化させたものであってもよい。例えば、この粘着材３０には、ＯＣＲ（Optical  Clear.  Resin）のようなＵＶ硬化型樹脂、ＯＣＡ（Optically  Clear  Adhesive）のような粘着シートを利用する。この粘着材３０は、ダム剤の有無を問わない。尚、図２及び図４では、説明の便宜上、粘着材３０に図示の如き厚みを設けている。
【００２３】
請求項１，６
このカバー主体２１においては、表示器１０の表示面の形状（ここでは矩形）に応じた形で、表示器１０から出射された光が使用者側に透過する。このカバー主体２１では、その表示器１０から出射された光の透過している区域を透過領域と称する。このカバー主体２１は、複数の表示器１０毎の光の透過領域２２を有している（図１及び図３）。ここでは、第１表示器１０Ａに対応する透過領域２２を第１透過領域２２Ａと称し、第２表示器１０Ｂに対応する透過領域２２を第２透過領域２２Ｂと称する。使用者は、それぞれの透過領域２２にそれぞれの表示器１０の表示情報が表示されているものとして認識する。
【００２４】
請求項１，６
ここで、この例示のカバー主体２１においては、それぞれの透過領域２２で光の透過率が均一になっている。よって、使用者には、表示器１０毎の表示情報がそれぞれの輝度で認識されてしまう。そこで、保護カバー２０には、表示器１０側から入射してきた光（表示器１０側からの入射光）の透過率を調整し、使用者側に出射させる光（使用者側への出射光であって、透過光）の輝度を調整する輝度調整部４１を設ける（図１から図４）。その輝度調整部４１は、カバー主体２１に設ける。尚、図２及び図４では、説明の便宜上、輝度調整部４１に図示の如き厚みを設けている。
【００２５】
請求項１，６
例えば、輝度調整部４１は、表示器１０側からの入射光の屈折光や反射光を調整して、その入射光の透過率を調整する。この輝度調整部４１は、それぞれの透過領域２２を経た視覚情報として使用者が得るそれぞれの光（視認光）の輝度を合わせるように構成する。つまり、この輝度調整部４１は、そのそれぞれの透過領域２２毎の視認光の輝度を合わせるように構成することによって、それぞれの透過領域２２に表示される表示情報のコントラストを下げる。
【００２６】
請求項１，６
この例示の輝度調整部４１は、透過領域２２と同等の形状（ここでは矩形）に形成し、その透過領域２２毎（即ち、表示器１０毎）にカバー主体２１に設けている。ここでは、第１表示器１０Ａ及び第１透過領域２２Ａに対応する輝度調整部４１を第１輝度調整部４１Ａと称し、第２表示器１０Ｂ及び第２透過領域２２Ｂに対応する輝度調整部４１を第２輝度調整部４１Ｂと称する（図１から図４）。第１輝度調整部４１Ａと第２輝度調整部４１Ｂは、それぞれの透過領域２２毎の視認光の輝度を合わせるように、表示器１０側からの入射光の透過率を変えている。
【００２７】
輝度調整部４１は、カバー主体２１に対して、表示器１０側と使用者側の内の何れに設けてもよい。
【００２８】
例えば、輝度調整部４１は、表示器１０とカバー主体２１との間に介在させる場合、そのカバー主体２１の透過領域２２における表示器１０側の壁面に設ける。この場合、粘着材３０は、表示器１０の表示面と輝度調整部４１とを貼り合わせる。よって、この輝度調整部４１には、表示器１０から出射された光（表示器１０からの出射光）が粘着材３０を介して入射する。この輝度調整部４１は、その入射光の透過率を調整して、透過光を透過領域２２に出射させる。また、輝度調整部４１は、カバー主体２１と使用者との間に介在させる場合、そのカバー主体２１の透過領域２２における使用者側の壁面に設ける。この場合、この輝度調整部４１には、カバー主体２１の透過領域２２から出射された光（カバー主体２１からの出射光）が入射する。この輝度調整部４１は、その入射光の透過率を調整して、透過光を使用者側に出射させる。この例示では、表示器１０とカバー主体２１との間に輝度調整部４１を介在させている。
【００２９】
請求項３
この輝度調整部４１は、透過領域２２でカバー主体２１の壁面に印刷する印刷体として構成する。この場合、輝度調整部４１は、例えば、スクリーン印刷、パッド印刷、インクジェット印刷等の手法を用いて、カバー主体２１の透過領域２２における表示器１０側の壁面又は使用者側の壁面に印刷する。これらの印刷には、目標とする透過率に応じた顔料インクを用いる。つまり、この場合には、目標とする透過率に応じた印刷体（スモーク印刷体）として輝度調整部４１が形成されている。
【００３０】
請求項３
また、この輝度調整部４１は、そのような印刷体に替えて、透過領域２２でカバー主体２１の壁面に貼り付ける貼付体として構成してもよい。この場合、輝度調整部４１には、目標とする透過率に応じたスモークフィルム等の貼付体を用いる。この輝度調整部４１は、カバー主体２１の透過領域２２における表示器１０側の壁面又は使用者側の壁面に貼り付ける。
【００３１】
請求項３
また、この輝度調整部４１は、そのような印刷体や貼付体に替えて、透過領域２２でカバー主体２１に埋設する埋設体として構成してもよい。この場合、輝度調整部４１は、目標とする透過率に応じた埋設体として形成する。そして、この場合には、その輝度調整部４１を内方に埋め込んだインサート成形等でカバー主体２１を成形することによって、カバー主体２１の内方に輝度調整部４１を埋設する。
【００３２】
この例示では、輝度調整部４１を印刷体として設けている。
【００３３】
請求項２
具体的に、輝度調整部４１は、使用者側での視認光の輝度の目標値に応じて、表示器１０側からの入射光の透過率を調整するように構成すればよい。つまり、第１輝度調整部４１Ａは、その視認光の輝度の目標値を達成させるように、第１表示器１０Ａ側からの入射光の透過率を調整するものとして形成する。また、第２輝度調整部４１Ｂは、その視認光の輝度の同じ目標値を達成させるように、第２表示器１０Ｂ側からの入射光の透過率を調整するものとして形成する。
【００３４】
例えば、透過領域２２には、輝度調整部４１を設けなければ視認光の輝度が目標値に対して高くなる場合、その視認光の輝度を目標値まで下げるように、表示器１０側からの入射光の透過率を下げることが可能な輝度調整部４１を設ける。一方、カバー主体２１の光の透過率如何では、輝度調整部４１を設けなければ、視認光の輝度が目標値に対して低くなってしまう場合もあり得る。この場合、透過領域２２には、視認光の輝度を目標値まで上げるように、表示器１０側からの入射光の透過率を上げることが可能な輝度調整部４１を設ける。この場合の輝度調整部４１は、例えば、反射率の低減により透過光を増やす反射防止膜等の技術を利用したものとして形成すればよい。そのような目標値に対する輝度の高低に拘わらず、この場合には、視認光の輝度の目標値に応じた光の透過率の第１輝度調整部４１Ａを設けると共に、その同じ目標値に応じた光の透過率の第２輝度調整部４１Ｂを設ける。この例示では、第１輝度調整部４１Ａの方が第２輝度調整部４１Ｂよりも光の透過率が低くなっている。
【００３５】
このように、この保護カバー２０及び表示装置１は、それぞれの透過領域２２を経た視認光の輝度を同等のものに合わせ込むことができるので、それぞれの透過領域２２に表示されている表示情報の間のコントラストを低下させることができる。よって、この保護カバー２０及び表示装置１は、それぞれの透過領域２２に表示されている表示情報の間での表示品質を向上させることができる。例えば、この保護カバー２０及び表示装置１は、輝度の異なる複数の表示器１０を備えていたとしても、あたかも１枚の表示面に表示情報を映し出しているが如く、複数の表示器１０の表示情報を使用者に視認させることができる。
【００３６】
更に、保護カバー２０及び表示装置１は、それぞれの透過領域２２を経た視認光の輝度の調整について、カバー主体２１に設けた輝度調整部４１に委ねている。よって、この保護カバー２０及び表示装置１においては、粘着材３０の組成を表示器１０毎に変える必要がないので、標準化された粘着材３０を用いたり、汎用性を持つ粘着材３０を用いたりすることができる。従って、この保護カバー２０及び表示装置１は、組付け作業性の向上や原価の低減が可能になる。
【００３７】
また、保護カバー２０は、表示装置１の仕様毎に形状が異なるので、表示装置１の仕様毎の専用品として用意する必要がある。故に、この保護カバー２０及び表示装置１は、カバー主体２１に設けた輝度調整部４１に視認光の輝度の調整を委ねることによって、その輝度の調整を粘着材に委ねた場合と比較して、原価の低減を図ることができる。
【００３８】
請求項４
ここで、この例示のカバー主体２１は、光源５１（図４）からの光を使用者側に出射させて、この光源５１の光により照らされた情報を表示する少なくとも１つの情報表示部２３を有している（図３）。その情報表示部２３とは、例えば、右左折の方向指示表示部や各種警告灯（ウォーニングランプ、所謂テルテール）等のことである。この情報表示部２３は、その表示内容に応じた形状や文字等としてカバー主体２１に印刷されている。また、光源５１には、ＬＥＤ（発光ダイオード）等が用いられる。この光源５１は、情報表示部２３毎に用意されている。
【００３９】
請求項４
この例示のカバー主体２１には、光源５１側からの入射光の透過率を調整し、使用者側に出射させる透過光の輝度を調整する副輝度調整部４２を設ける（図３及び図４）。尚、図４では、説明の便宜上、副輝度調整部４２に図示の如き厚みを設けている。
【００４０】
請求項４
その副輝度調整部４２は、情報表示部２３を経た視覚情報として使用者が得る視認光の輝度の目標値に応じて、光源５１側からの入射光の透過率を調整する。この副輝度調整部４２は、先に示した輝度調整部４１と同様のものとして構成する。
【００４１】
副輝度調整部４２は、情報表示部２３毎に設けるものであってもよく、複数の情報表示部２３が集められた区域（以下、「集合領域」という。）２４を覆うように設けるものであってもよい。この例示では、カバー主体２１が２つの集合領域２４（第１集合領域２４Ａ、第２集合領域２４Ｂ）を有しており、その集合領域２４毎に副輝度調整部４２を設けている（図３及び図４）。ここでは、第１集合領域２４Ａに対応する副輝度調整部４２を第１副輝度調整部４２Ａと称し、第２集合領域２４Ｂに対応する副輝度調整部４２を第２副輝度調整部４２Ｂと称する。尚、図４では、説明の便宜上、集合領域２４に図示の如き厚みを設けている。
【００４２】
副輝度調整部４２は、カバー主体２１に対して、光源５１側と使用者側の内の何れに設けてもよい。
【００４３】
例えば、副輝度調整部４２は、光源５１とカバー主体２１との間に介在させる場合、そのカバー主体２１の集合領域２４における光源５１側の壁面に設ける。この場合、この副輝度調整部４２には、光源５１から出射された光（光源５１からの出射光）が入射する。この副輝度調整部４２は、その入射光の透過率を調整して、透過光を集合領域２４に出射させる。また、副輝度調整部４２は、カバー主体２１と使用者との間に介在させる場合、そのカバー主体２１の集合領域２４における使用者側の壁面に設ける。この場合、この副輝度調整部４２には、カバー主体２１の集合領域２４から出射された光（カバー主体２１からの出射光）が入射する。この副輝度調整部４２は、その入射光の透過率を調整して、透過光を使用者側に出射させる。この例示では、光源５１とカバー主体２１との間に副輝度調整部４２を介在させている。
【００４４】
先に示したように、この副輝度調整部４２は、情報表示部２３を経た視認光の輝度の目標値に応じて、光源５１側からの入射光の透過率を調整する。例えば、高輝度の光源５１を用いる場合、副輝度調整部４２には、その光源５１側からの入射光の透過率を下げて、情報表示部２３を経た視認光の輝度が目標値となるように調整させる。
【００４５】
中間ネタ
一方、副輝度調整部４２は、そのような情報表示部２３を経た視認光の輝度の目標値を用いずに、透過領域２２を経た視認光の輝度に応じて、光源５１側からの入射光の透過率を調整させるように構成してもよい。この場合、副輝度調整部４２は、情報表示部２３を経た視認光の輝度が透過領域２２を経た視認光の輝度よりも低くなるように構成してもよく、情報表示部２３を経た視認光の輝度が透過領域２２を経た視認光の輝度よりも高くなるように構成してもよい。また、副輝度調整部４２は、情報表示部２３を経た視認光の輝度と透過領域２２を経た視認光の輝度とが同等のものとなるように構成してもよい。
【００４６】
このように、この保護カバー２０及び表示装置１は、この情報表示部２３を経た視認光の輝度の調整機能についてもカバー主体２１に設けるので、情報表示部２３を追加したとしても、組付け作業性の低下や原価の高騰を抑えることができる。また、この保護カバー２０及び表示装置１は、副輝度調整部４２をカバー主体２１に設けることによって、透過領域２２に表示されている表示情報と情報表示部２３に表示されている表示情報との間にコントラストを付けたり、その間のコントラストを低下させたりすることができる。よって、この保護カバー２０及び表示装置１は、情報表示部２３に表示されている表示情報も含めた表示品質の向上が可能になる。
【００４７】
ところで、以上示した本例示では透過領域２２毎に輝度調整部４１を設けているが、輝度調整部４１は、次のようにして構成することによって、必ずしも全ての透過領域２２に設ける必要はない。この場合には、複数の表示器１０の内の基準輝度とするものを主表示器とし、かつ、その内の残りを副表示器とする。そして、この場合には、主表示器に対応する透過領域２２を主透過領域とし、かつ、副表示器に対応する透過領域２２を副透過領域とする。ここでは、第１表示器１０Ａを主表示器とし、第１表示器１０Ａに対応する第１透過領域２２Ａを主透過領域とする。そして、ここでは、第２表示器１０Ｂを副表示器とし、第２表示器１０Ｂに対応する第２透過領域２２Ｂを副透過領域とする。
【００４８】
この場合、輝度調整部４１は、少なくとも副透過領域（第２透過領域２２Ｂ）に設ける。副表示器が複数存在するカバー主体２１では、少なくとも副透過領域毎に輝度調整部４１を設ける。この場合の副透過領域の輝度調整部４１は、副表示器の輝度が主表示器の輝度よりも高ければ、副表示器側からの入射光の透過率が下がるように構成し、副表示器の輝度が主表示器の輝度よりも低ければ、副表示器側からの入射光の透過率が上がるように構成する。このように構成しても、この保護カバー２０及び表示装置１は、先の例示と同様の効果を得ることができる。この考え方は、副輝度調整部４２に適用してもよい。
【００４９】
また、以上示した本例示では、表示面が平滑な表示器１０と、カバー主体２１が平板状の保護カバー２０と、を用いている。しかしながら、その表示器１０と保護カバー２０は、必ずしもそのような壁面が平らなもの同士の組み合わせに限定するものではない。例えば、表示装置１は、表示面が曲面状に形成された表示器（所謂曲面ディスプレイ）１０と、カバー主体２１が弧状で且つ板状の保護カバー２０と、の組み合わせを備えるものとしてもよい（図５）。そのカバー主体２１は、例えば、表示器１０の表示面の曲面形状に合わせた曲率で弧状に形成する。また、表示装置１は、表示面が平滑な表示器１０と、カバー主体２１が弧状で且つ板状の保護カバー２０と、の組み合わせを備えるものとしてもよい（図６）。この場合には、表示器１０の表示面とカバー主体２１の壁面又は輝度調整部４１との間に隙間ができぬよう、その間を粘着材３０で埋めている。これらのような組み合わせに替えたとしても、この保護カバー２０及び表示装置１は、先の例示と同様の効果を得ることができる。
【００５０】
以上示したように、本実施形態の保護カバー２０及び表示装置１は、表示品質を向上させながらも、組付け作業性や原価の点で有益なものとなっている。
【符号の説明】
【００５１】
１  表示装置
１０  表示器
１０Ａ  第１表示器
１０Ｂ  第２表示器
２０  保護カバー
２１  カバー主体
２２  透過領域
２２Ａ  第１透過領域
２２Ｂ  第２透過領域
２３  情報表示部
２４  集合領域
２４Ａ  第１集合領域
２４Ｂ  第２集合領域
３０  粘着材
４１  輝度調整部
４１Ａ  第１輝度調整部
４１Ｂ  第２輝度調整部
４２  副輝度調整部
４２Ａ  第１副輝度調整部
４２Ｂ  第２副輝度調整部
５１  光源
【図１】
2019191283.tif 000003
【図２】
2019191283.tif 000004
【図３】
2019191283.tif 000005
【図４】
2019191283.tif 000006
【図５】
2019191283.tif 000007
【図６】
2019191283.tif 000008